(57)【要約】【課題】表示対象画像と他の手段による表示との併用を容易にした電子機器、投影装置、投影制御方法及びプログラムを提供すること。【解決手段】電子機器（投影装置１０）は、画像情報を取得する取得手段と、画像情報に含まれる画像の一部を表示対象画像として選択する選択手段と、投影手段により、選択手段で選択された表示対象画像と、画像合成用の領域を示す画像合成領域画像とを表示手段に表示させる表示制御手段と、を備える。【選択図】図１
2020003746.tif 000002
【特許請求の範囲】
【請求項１】
画像情報を取得する取得手段と、
前記画像情報に含まれる画像の一部を表示対象画像として選択する選択手段と、
前記選択手段で選択された前記表示対象画像と、画像合成用の領域を示す画像合成領域画像とを表示手段に表示させる表示制御手段と、
を備えることを特徴とする電子機器。
【請求項２】
前記取得手段は、前記画像情報とともに前記表示対象画像の位置情報を端末から取得し、
前記選択手段は、前記位置情報で特定された領域の画像を前記画像情報から選択して前記表示対象画像として切り出す、
ことを特徴とする請求項１に記載の電子機器。
【請求項３】
前記位置情報は、前記端末の表示部に表示された画像のうち、予め定めたアプリケーションの表示枠又はアクティブな表示枠の表示位置であることを特徴とする請求項２に記載の電子機器。
【請求項４】
前記画像合成領域画像を予め記憶する記憶部を備え、
前記表示制御手段は、前記表示対象画像と、前記記憶部から取得した前記画像合成領域画像とを重畳して表示する、
ことを特徴とする請求項１乃至請求項３の何れかに記載の電子機器。
【請求項５】
前記画像合成領域画像は、手書き用領域を示す記述用画像であることを特徴とする請求項１乃至請求項４の何れかに記載の電子機器。
【請求項６】
前記表示制御手段は、前記記述用画像として、黒画像、グレー画像、白画像、罫線画像、升目画像、グリッド画像及び軸画像の一部又は複数を表示することを特徴とする請求項５に記載の電子機器。
【請求項７】
前記取得手段は、前記画像情報を無線により取得する通信部であることを特徴とする請求項１乃至請求項６の何れかに記載の電子機器。
【請求項８】
画像情報を取得する取得手段と、
前記画像情報に含まれる画像の一部を表示対象画像として選択する選択手段と、
投影手段により、前記選択手段で選択された前記表示対象画像と、画像合成用の領域を示す画像合成領域画像とを投影する投影制御手段と、
を備えることを特徴とする投影装置。
【請求項９】
投影装置の投影制御方法であって、
画像情報を取得する取得工程と、
前記画像情報に含まれる画像の一部を表示対象画像として選択する選択工程と、
投影手段により、前記選択工程で選択された前記表示対象画像と、画像合成用の領域を示す画像合成領域画像とを投影する投影工程と、
を含むことを特徴とする投影制御方法。
【請求項１０】
コンピュータが実行するプログラムであって、前記コンピュータを、
画像情報を取得する取得手段、
前記画像情報に含まれる画像の一部を表示対象画像として選択する選択手段、及び、
投影手段により、前記選択手段で選択された前記表示対象画像と、画像合成用の領域を示す画像合成領域画像とを投影する投影制御手段、
として機能させることを特徴とするプログラム。
【発明の詳細な説明】
【技術分野】
【０００１】
本発明は、電子機器、投影装置、投影制御方法及びプログラムに関する。
【背景技術】
【０００２】
今日、パーソナルコンピュータの画面やビデオ画面、さらにメモリカード等に記憶されている画像データによる画像等をスクリーンに投影する投影装置が多用されている。この投影装置は、光源から出射された光を、ＤＭＤ（デジタル・マイクロミラー・デバイス）と呼ばれるマイクロミラー表示素子、又は、液晶板に集光させ、スクリーン上にカラー画像を表示させる。
【０００３】
このような投影装置において、投影環境の変化に応じて投影範囲を変化させる技術が提案されている。例えば、特許文献１には、姿勢が所定の範囲内にある場合に入力画像をそのまま投影させ、姿勢が所定の範囲外にある場合に入力画像の１つを投影範囲の上側に配置して投影させる、投影装置が開示されている。これにより、煩雑な操作を行う必要なしに、投影環境の変化に即応して最適な投影動作を続行するものとしている。
【先行技術文献】
【特許文献】
【０００４】
【特許文献１】特開２０１７−１６７５００号公報
【発明の概要】
【発明が解決しようとする課題】
【０００５】
しかしながら、特許文献１では、投影装置が投影する画像はパーソナルコンピュータに表示された全体の画像であるため一部の不要な画像が投影対象物に投影されることがあり、使用者は、表示したい画像を投影しながら、投影画像に関連する説明を投影対象物に手書きで補足説明するなどの併用が困難な場合があった。
【０００６】
本発明は、以上の点に鑑み、表示対象画像と他の手段による表示との併用を容易にした電子機器、投影装置、投影制御方法及びプログラムを提供することを目的とする。
【課題を解決するための手段】
【０００７】
本発明の電子機器は、画像情報を取得する取得手段と、前記画像情報に含まれる画像の一部を表示対象画像として選択する選択手段と、前記選択手段で選択された前記表示対象画像と、画像合成用の領域を示す画像合成領域画像とを表示手段に表示させる表示制御手段と、を備えることを特徴とする。
【０００８】
本発明の投影装置は、画像情報を取得する取得手段と、前記画像情報に含まれる画像の一部を表示対象画像として選択する選択手段と、投影手段により、前記選択手段で選択された前記表示対象画像と、画像合成用の領域を示す画像合成領域画像とを投影する投影制御手段と、を備えることを特徴とする。
【０００９】
本発明の投影制御方法は、投影装置の投影制御方法であって、画像情報を取得する取得工程と、前記画像情報に含まれる画像の一部を表示対象画像として選択する選択工程と、投影手段により、前記選択工程で選択された前記表示対象画像と、画像合成用の領域を示す画像合成領域画像とを投影する投影工程と、を含むことを特徴とする。
【００１０】
本発明のプログラムは、コンピュータが実行するプログラムであって、前記コンピュータを、画像情報を取得する取得手段、前記画像情報に含まれる画像の一部を表示対象画像として選択する選択手段、及び、投影手段により、前記選択手段で選択された前記表示対象画像と、画像合成用の領域を示す画像合成領域画像とを投影する投影制御手段、として機能させることを特徴とする。
【発明の効果】
【００１１】
本発明によれば、表示対象画像と他の手段による表示との併用を容易にした電子機器、投影装置、投影制御方法及びプログラムを提供することができる。
【図面の簡単な説明】
【００１２】
【図１】本発明の実施形態１に係る投影システムの概要を示す図である。
【図２】本発明の実施形態１に係る投影システムの構成を示す図である。
【図３】本発明の実施形態１に係る端末における処理のフローチャートを示す図である。
【図４】本発明の実施形態１に係る投影装置における処理のフローチャートを示す図である。
【図５】本発明の実施形態１に係る端末の表示部の模式図である。
【図６】本発明の実施形態に係るスクリーンに投影された投影画像を示す図であり、（ａ）は実施形態１の記述用領域に黒画像を投影した例を示し、（ｂ）は実施形態２の記述用領域に罫線画像を投影した例を示す。
【発明を実施するための形態】
【００１３】
（実施形態１）
以下、本発明を実施するための形態について述べる。図１は投影システム１の概要を示す図である。投影システム１は、投影対象物３０の投影面３１に画像を投影する電子機器である投影装置１０と、投影対象画像を含む画像情報を投影装置１０に送信する端末２０とを有する。端末２０としては、パソコン、ビデオカメラ、スマートフォン（高機能携帯電話）、又はタブレット端末等とすることができる。また、投影対象物３０は、スクリーン、ホワイトボード、電子黒板及び壁面等の投影光を拡散反射しつつ、マーカ等の手書きの筆記具により使用者が筆記可能に構成される。
【００１４】
投影システム１の動作の概要について説明する。本実施形態の投影装置１０は、端末２０から送信された画像情報を受信する。投影装置１０は、受信した画像情報から一部の表示対象画像を切り出して予め設定された記述用画像と重畳させて、投影対象物３０の投影可能領域３２に投影する。使用者は、記述用画像を表示させた投影対象物３０の領域に手書きで文字、図形等を筆記して、鑑賞者に表示対象画像と併用して情報を提供することができる。
【００１５】
図２は投影システム１の構成を示す図である。投影装置１０は、記憶部１１、制御部１２（選択手段，投影制御手段）、投影部１３（投影手段，表示手段）、操作部１４、通信部１５、音声処理部１６を備え、各々内部バスにより接続されている。記憶部１１は、例えば、ＳＳＤ（Ｓｏｌｉｄ  Ｓｔａｔｅ  Ｄｒｉｖｅ）やＳＲＡＭ（Ｓｔａｔｉｃ  Ｒａｎｄａｍ  Ａｃｃｅｓｓ  Ｍｅｍｏｒｙ）で構成される。記憶部１１は、手書き用領域を示す記述用画像１１１（画像合成領域画像）、端末２０から受信した画像情報１１２、投影装置１０の制御プログラム１１３、端末２０から受信した位置情報１１４を記憶する。
【００１６】
制御部１２は、記憶部１１に記憶される制御プログラム１１３を読み出し、投影装置１０を統括して制御する。制御部１２は、記憶部１１から画像情報１１２を取得して画像の一部の領域を後述の表示対象画像２３１ａとして選択し、選択した画像と記憶部１１に記憶された記述用画像１１１を重畳させて、投影部１３に送信する。
【００１７】
投影部１３は、制御部１２から送られてきた画像（表示対象画像２３１ａ及び記述用画像１１１）を、予め設定した画像フォーマットに従ったフレームレートで投影対象物３０に投影する。投影部１３の光源１３１は、半導体発光素子であるＬＥＤやＬＤ（レーザダイオード）を有し、赤、緑、青色波長帯域光の光源光を投影素子１３２に照射する。投影素子１３２は、ＤＭＤ（デジタル・マイクロミラー・デバイス）が用いられ、投影する画像データに応じて赤、緑、青色波長帯域光を時分割表示することにより、投影レンズ１３３を介して投影対象物３０にカラー画像を投影することができる。なお、投影素子１３２は、液晶プロジェクタ等の他の方式としてもよい。投影部１３から出射された画像は、図１の投影面３１の投影可能領域３２に投影される。
【００１８】
操作部１４は、投影装置１０の筐体に備える操作キー等から操作信号を受け付けて、その操作信号を、バスを介して制御部１２に送信する。制御部１２は、操作部１４からの操作信号に応じて投影処理等の各種の機能を実行する。
【００１９】
通信部１５（取得手段）は、端末２０の通信部２４とデータの送受信を行うことができる。また、通信部１５は、図示しないリモートコントローラからの赤外線変調信号等による操作信号を受信し、その操作信号を制御部１２に送信する。また、通信部１５は、外部入力端子を備えることができ、外部機器から鑑賞用の画像データを入力させることができる。本実施形態において通信部１５による通信部２４との通信は無線により行われるが、ＵＳＢ等のケーブルを介して有線により通信する構成としてもよい。
【００２０】
音声処理部１６は、ＰＣＭ音源などの音源回路を備え、スピーカ１７を駆動して音を拡散放音させる。音声処理部１６は、投影する画像データに音声信号が含まれていた場合、投影動作時にその音声信号をアナログ変換してスピーカ１７を介して音を出力する。
【００２１】
端末２０は、入出力制御部２１、制御部２２、記憶部２３、通信部２４を備え、各々内部バスにより接続される。
【００２２】
入出力制御部２１は、使用者が入力部２１１から入力した指示を制御部２２へ送信する。入力部２１１は、例えば、キーボードやマウス等とすることができる。表示部２１２は、入出力制御部２１から出力された画像を表示させる液晶画面等である。また、端末２０は、入力部２１１と表示部２１２の機能を有するタッチパネルディスプレイを備えてもよい。
【００２３】
記憶部２３は、画像情報２３１、位置情報２３２及び制御プログラム２３３を記憶する。画像情報２３１には、表示対象画像２３１ａと、非表示対象画像２３１ｂ，２３１ｃとが含まれる（図５参照）。位置情報２３２は、画像情報２３１に基づいて表示部２１２に表示された画像中における表示対象画像２３１ａの位置（領域）を特定する情報である。
【００２４】
制御部２２は、記憶部２３に記憶される制御プログラム２３３を読み出し、端末２０を統括して制御する。制御部２２は、画像情報２３１及び位置情報２３２を、通信部２４を介して投影装置１０に送信する。
【００２５】
次に、投影装置１０及び端末２０を使用した投影方法について図３〜図６を参照して説明する。図３は、端末２０における処理のフローチャートを示す図である。ステップＳ１１で、制御部２２は、記憶部２３に記憶される画像情報２３１を読み出し、入出力制御部２１により表示部２１２に表示させる。表示部２１２に表示される画像情報２３１には、図５に例示するように、投影装置１０に投影させる表示対象画像２３１ａ、及び投影装置１０に投影させない非表示対象画像２３１ｂ，２３１ｃが含まれる。本実施形態の表示対象画像２３１ａは、端末２０が実行する特定のアプリケーションの表示枠（ウインドウ枠）としており、表示部２１２ｂの左側に配置されている。図５に例示した非表示対象画像２３１ｂは端末２０の背景画像である。また、非表示対象画像２３１ｃは端末２０の機能に応じたメニュー画像等である。端末２０の表示部２１２には複数のアプリケーションの表示枠が表示されることもあるが、一部のアプリケーションの表示枠を表示対象画像２３１ａとし、他の表示枠を非表示対象画像２３１ｂとすることができる。
【００２６】
ステップＳ１２で、制御部２２は、表示部２１２に表示させた画像情報２３１（表示対象画像２３１ａ及び非表示対象画像２３１ｂ，２３１ｃ）及び位置情報２３２を、通信部２４を介して投影装置１０に送信する。制御部２２が画像情報２３１及び位置情報２３２を送信するタイミングは、使用者が入力部２１１により手動で指示してもよいし、端末２０が投影装置１０との通信を確立したタイミングとしてもよい。また、表示対象画像２３１ａの位置情報２３２は、表示部２１２に表示されている予め定めた特定のアプリケーションの表示枠の表示位置とすることができる。また、位置情報２３２は、端末２０の表示部２１２に表示された画像のうち、アクティブな表示枠の表示位置としてもよい。表示位置は表示部２１２に表示された画像内における座標とすることができる。また、表示対象画像２３１ａの位置情報２３２は、表示対象画像２３１ａが非アクティブな場合や非表示となっている場合に、無効としてもよい。
【００２７】
図４は、投影装置１０のフローチャートを示す図である。ステップＳ２１（取得工程）で、制御部１２は、通信部１５を介して、端末２０から送信された画像情報２３１及び位置情報２３２を受信する。制御部１２は、受信した画像情報２３１を画像情報１１２として記憶部１１に記憶する。また、制御部１２は、受信した位置情報２３２を位置情報１１４として記憶部１１に記憶する。
【００２８】
ステップＳ２２（選択工程）で、制御部１２は、端末２０から受信して記憶部１１に記憶した画像情報１１２から位置情報１１４で特定される領域の画像を選択して表示対象画像２３１ａとして切り出す。制御部１２は、位置情報１１４が示す座標から、画像情報１１２に含まれる表示対象画像２３１ａを特定することができる。
【００２９】
ステップＳ２３で、制御部１２は、記憶部１１から記述用画像１１１を取得して、ステップＳ２２で切り出した表示対象画像２３１ａと重畳させる。本実施形態で取得する記述用画像１１１は、投影光を消灯させた黒画像１１１ａである。
【００３０】
ステップＳ２４（投影工程）で、制御部１２は、ステップＳ２３で重畳させた画像を、投影部１３により投影画像として投影する。制御部１２は、図６（ａ）に示すように、投影対象物３０の投影可能領域３２に、表示対象画像２３１ａ及び黒画像１１１ａ（１１１）を投影した例を示している。投影対象物３０は、投影画像を表示可能であるとともにマーカ等の筆記具により手書きで筆記することが可能であるため、使用者は、表示対象画像２３１ａと隣接する黒画像１１１ａの領域に筆記具で記述をすることができる。なお、図３のステップＳ１２で、位置情報２３２を無効とした場合（例えば位置情報２３２の値として「０」とした場合）、制御部１２は、ステップＳ２２，Ｓ２３で表示対象画像２３１ａの切り出し及び重畳を行わずに、ステップＳ２４で記述用画像１１１のみを表示させてもよい。
【００３１】
また、投影装置１０は、記述用画像１１１として、黒画像１１１ａの他に照明光としてグレー画像又は白画像を投影してもよい。グレー画像及び白画像は、投影対象物３０に記述した文字等の視別が容易となるように、文字等と背景色とのコントラストが確保できる程度の明るさに設定することができる。グレー画像及び白画像の明るさは、投影装置１０周囲の照明環境に応じて任意に設定することができる。
【００３２】
（実施形態２）
次に実施形態２について説明する。本実施形態では、記述用画像１１１として、実施形態１と異なる画像を投影させる例について説明する。なお、本実施形態の説明において、実施形態１と同様の構成については同一の符号を付してその説明を省略又は簡略化する。
【００３３】
投影装置１０は、記述用画像１１１に使用者の筆記を支援する画像を投影することができる。例えば、投影装置１０は、投影対象物３０に投影された投影画像の記述用画像１１１として、複数の横線を配置させた横書罫線画像１１１ｂを記憶部１１に予め記憶させておくことができる。図６（ｂ）は記述用画像１１１として横書罫線画像１１１ｂを投影した例を示す図である。横書罫線画像１１１ｂにおける罫線以外の背景領域は、黒画像、グレー画像又は白画像等とすることができる。横書罫線画像１１１ｂを投影することによって、使用者は、文字等の記載の体裁を向上させながら、投影光により文字等の視認性が阻害されることを低減することができる。
【００３４】
また、筆記を支援する記述用画像１１１としては、横書罫線画像１１１ｂに限らず様々な形態を適用することができる。例えば、記述用画像１１１として、複数の縦線を配置させた縦書罫線画像、横書き又は縦書き用に複数の升目を横方向又は縦方向に並べた升目画像、点又は点状の画像を縦横等間隔に複数配置させたグリッド画像、又は、数直線やデカルト座標軸等の軸画像、等の任意の画像を適用することができる。横書罫線画像１１１ｂや縦書罫線画像では、一行の中に線種の異なる複数の線を配置させてもよい。このような記述用画像１１１は一つ又は複数種類表示させてもよい。
【００３５】
また、記述用画像１１１は、学校における授業の科目に応じて設定したり、授業が行われる国や地域毎に異なる画像を設定することができる。
【００３６】
以上のように、本実施形態では、記述用画像１１１中に線や点を表示させて文字等の体裁を向上させることができる。また、記述用画像１１１として罫線や格子等をデジタルで表示させることで、記述用画像１１１の上に素早く手書きを行い時間のロスや手書きした文字等の視認性を向上させることができる。
【００３７】
また、本発明の各実施形態によると、学校の授業等において、投影装置１０からデジタルツールを表示しながら、ホワイトボード等の投影対象物３０に教師が手書きで解説するといった使用場面において、表示したい画像と、表示したくない画像（例えばデスクトップの背景やツールバー）とが同時に投影されて、手書きした文字等の視認性が悪くなるという不都合を解消することができる。
【００３８】
また、端末２０が投影装置１０に無線で画像情報を送信する構成とすることにより、教師がノートパソコン等の端末２０を、授業の度に持ち込むといった運用を行う場合であっても、端末２０と投影装置１０をケーブルで接続する手間や煩雑さを低減し利便性を向上させることができる。
【００３９】
なお、端末２０は位置情報２３２を送信しない構成とすることもできる。この場合、図３のステップＳ１２で、端末２０は、画像情報２３１（表示対象画像２３１ａ及び非表示対象画像２３１ｂ，２３１ｃ）を投影装置１０に送信する。投影装置１０は、ステップＳ２１で画像情報２３１を受信した後、ステップＳ２２で画像解析により画像情報２３１から表示対象画像２３１ａを切り出す。画像解析の方法としては、例えば、端末２０側から送信される画像情報２３１の表示対象画像２３１ａの輪郭部の輝度を周囲の画像と比較して高く或いは低くしておき、投影装置１０が画像情報２３１の画像を２値化してその輪郭をエッジ検出させ、輪郭に囲われる領域を表示対象画像２３１ａの領域として判定してもよい。そしてその後、投影装置１０が、ステップＳ２２で検出した表示対象画像２３１ａと、記述用画像１１１とを重畳し（ステップＳ２３）、投影対象物３０に重畳した画像を投影する（ステップＳ２４）ことができる。
【００４０】
また、図３のステップＳ１２で端末２０が送信する位置情報２３２は、使用者が予め入力部２１１により入力して取得させた情報としてもよい。例えば、使用者は、端末２０の表示部２１２に表示された画像を確認して、投影装置１０に投影させたい画像の領域を入力部２１１により指定してもよい。
【００４１】
また、表示対象画像２３１ａを投影する位置は、投影可能領域３２内の左上、左下、右上又は右下の位置を基準に詰めて配置させることができる。そして、投影装置１０は、投影可能領域３２のうち表示対象画像２３１ａが表示されない他の領域に、記述用画像１１１を投影させることができる。
【００４２】
また、投影装置１０は、記憶部１１に複数の異なる記述用画像１１１を予め記憶しておき、表示対象画像２３１ａとともに表示させる記述用画像１１１を使用者が選択する構成としてもよい。
【００４３】
また、本実施形態では、表示対象画像２３１ａとともに表示させる画像として記述用画像１１１を表示する例を示したが、記述以外の他の表示と合成する画像合成用の領域を示す画像合成領域画像を表示させてもよい。画像合成領域画像は、黒画像、グレー画像又は白画像としたり、一つ又は複数の枠画像とすることができる。画像合成領域画像は記述用画像１１１と同様に予め記憶部１１に記憶させておくことができる。記述以外の他の表示としては、他の装置から投影等により出力表示させた画像とすることができる。
【００４４】
また、投影装置１０は、端末２０から画像情報２３１を取得して、表示対象画像２３１ａと、画像合成領域画像とを表示部（表示手段）に表示させる電子機器としてもよい。
【００４５】
以上、本実施形態の投影装置１０は、画像情報２３１を取得する取得手段と、画像情報２３１に含まれる画像の一部を表示対象画像２３１ａとして選択する選択手段と、選択手段で選択された表示対象画像２３１ａと、画像合成用の領域を示す画像合成領域画像とを表示手段に表示させる表示制御手段と、を備える構成とした。そのため、表示対象画像と他の手段による表示の併用を容易にした電子機器（投影装置１０）とすることができる。
【００４６】
また、取得手段は、画像情報２３１とともに表示対象画像２３１ａの位置情報２３２を端末２０から取得し、選択手段は、位置情報２３２で特定された領域の画像を画像情報２３１から選択して表示対象画像２３１ａとして切り出す。そのため、電子機器は画像情報２３１から容易に表示対象画像２３１ａを切り出すことができる。
【００４７】
また、位置情報２３２は、端末２０の表示部２１２に表示された画像のうち、予め定めたアプリケーションの表示枠又はアクティブな表示枠の表示位置とした。そのため、不要な画像領域を容易に除いて投影させることができる。
【００４８】
また、電子機器は画像合成領域画像を予め記憶する記憶部１１をさらに備え、表示制御手段は表示対象画像２３１ａと、記憶部１１から取得した画像合成領域画像とを重畳して表示する。そのため、画像合成領域画像を取得して、表示対象画像２３１ａとの重畳を容易に行うことができる。
【００４９】
また、画像合成領域画像が手書き用領域を示す記述用画像とすると、表示対象画像２３１ａを表示しながら手書きにより併記した表示も視認させることができる。そのため、教室等のホワイトボードとスクリーンが併用できないような環境であっても、デジタル画像と手書きとを併用する教え方を実施した場合、投影装置１０の背景や表示させたくないアプリケーションのウインドウ又はツールバー等の投影表示を防ぐことができ、手書きで書いた文字等の視認性を向上させることができる。
【００５０】
また、表示制御手段は、記述用画像１１１として、黒画像、グレー画像、白画像、罫線画像、升目画像、グリッド画像及び軸画像の一部又は複数を投影する。そのため、使用者の使用環境や表示対象画像２３１ａに応じて適切な記述用画像１１１を、表示対象画像２３１ａと併用して表示させることができる。
【００５１】
また、取得手段が画像情報２３１を無線により取得する通信部１５である電子機器は、画像情報２３１及び位置情報２３２を容易に取得することができる。したがって、画像情報２３１に含まれる画像から表示対象画像２３１ａの切り出しを容易に行うことができる。
【００５２】
また、投影装置１０は、画像情報を取得する取得手段と、画像情報２３１に含まれる画像の一部を表示対象画像２３１ａとして選択する選択手段と、投影手段により、選択手段で選択された表示対象画像２３１ａと、画像合成用の領域を示す画像合成領域画像とを投影する投影制御手段と、を備える。そのため、表示対象画像と他の手段による表示との併用を容易にすることができる。
【００５３】
また、投影装置１０の投影制御方法は、画像情報２３１を取得する取得工程と、画像情報２３１に含まれる画像の一部を表示対象画像２３１ａとして選択する選択工程と、投影手段により、選択工程で選択された表示対象画像２３１ａと、画像合成用の領域を示す画像合成領域画像とを投影する投影工程と、を含む。そのため、表示対象画像と他の手段による表示との併用を容易にすることができる。
【００５４】
また、コンピュータ（投影装置１０）が実行するプログラムは、コンピュータを、画像情報を取得する取得手段、画像情報に含まれる画像の一部を表示対象画像２３１ａとして選択する選択手段、及び、投影手段により、選択手段で選択された表示対象画像２３１ａと、画像合成用の領域を示す画像合成領域画像とを投影する投影制御手段、として機能する。そのため、表示対象画像と他の手段による表示との併用を容易にすることができる。
【００５５】
なお、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００５６】
以下に、本願出願の最初の特許請求の範囲に記載された発明を付記する。
［１］  画像情報を取得する取得手段と、
前記画像情報に含まれる画像の一部を表示対象画像として選択する選択手段と、
前記選択手段で選択された前記表示対象画像と、画像合成用の領域を示す画像合成領域画像とを表示手段に表示させる表示制御手段と、
を備えることを特徴とする電子機器。
［２］  前記取得手段は、前記画像情報とともに前記表示対象画像の位置情報を端末から取得し、
前記選択手段は、前記位置情報で特定された領域の画像を前記画像情報から選択して前記表示対象画像として切り出す、
ことを特徴とする前記［１］に記載の電子機器。
［３］  前記位置情報は、前記端末の表示部に表示された画像のうち、予め定めたアプリケーションの表示枠又はアクティブな表示枠の表示位置であることを特徴とする前記［２］に記載の電子機器。
［４］  前記画像合成領域画像を予め記憶する記憶部を備え、
前記表示制御手段は、前記表示対象画像と、前記記憶部から取得した前記画像合成領域画像とを重畳して表示する、
ことを特徴とする前記［１］乃至前記［３］の何れかに記載の電子機器。
［５］  前記画像合成領域画像は、手書き用領域を示す記述用画像であることを特徴とする前記［１］乃至前記［４］の何れかに記載の電子機器。
［６］  前記表示制御手段は、前記記述用画像として、黒画像、グレー画像、白画像、罫線画像、升目画像、グリッド画像及び軸画像の一部又は複数を表示することを特徴とする前記［５］に記載の電子機器。
［７］  前記取得手段は、前記画像情報を無線により取得する通信部であることを特徴とする前記［１］乃至前記［６］の何れかに記載の電子機器。
［８］  画像情報を取得する取得手段と、
前記画像情報に含まれる画像の一部を表示対象画像として選択する選択手段と、
投影手段により、前記選択手段で選択された前記表示対象画像と、画像合成用の領域を示す画像合成領域画像とを投影する投影制御手段と、
を備えることを特徴とする投影装置。
［９］  投影装置の投影制御方法であって、
画像情報を取得する取得工程と、
前記画像情報に含まれる画像の一部を表示対象画像として選択する選択工程と、
投影手段により、前記選択工程で選択された前記表示対象画像と、画像合成用の領域を示す画像合成領域画像とを投影する投影工程と、
を含むことを特徴とする投影制御方法。
［１０］  コンピュータが実行するプログラムであって、前記コンピュータを、
画像情報を取得する取得手段、
前記画像情報に含まれる画像の一部を表示対象画像として選択する選択手段、及び、
投影手段により、前記選択手段で選択された前記表示対象画像と、画像合成用の領域を示す画像合成領域画像とを投影する投影制御手段、
として機能させることを特徴とするプログラム。
【符号の説明】
【００５７】
１        投影システム                  １０      投影装置
１１      記憶部                        １２      制御部
１３      投影部                        １４      操作部
１５      通信部                        １６      音声処理部
１７      スピーカ                      ２０      端末
２１      入出力制御部                  ２２      制御部
２３      記憶部                        ２４      通信部
３０      投影対象物                    ３１      投影面
３２      投影可能領域                  １１１    記述用画像
１１１ａ  黒画像                        １１１ｂ  横書罫線画像
１１２    画像情報                      １１３    制御プログラム
１１４    位置情報                      １３１    光源
１３２    投影素子                      １３３    投影レンズ
２１１    入力部                        ２１２    表示部
２１２ｂ  表示部                        ２３１    画像情報
２３１ａ  表示対象画像                  ２３１ｂ  非表示対象画像
２３１ｃ  非表示対象画像                ２３２    位置情報
２３３    制御プログラム
【図１】
2020003746.tif 000003
【図２】
2020003746.tif 000004
【図３】
2020003746.tif 000005
【図４】
2020003746.tif 000006
【図５】
2020003746.tif 000007
【図６】
2020003746.tif 000008